(57)【特許請求の範囲】
【請求項１】
トンネル又はボックスカルバート構造物の目地部又は接合部を覆う被覆部材を該構造物の略両端部付近で固定するための金具であって、目地部又は接合部の長手方向に所定の長さをもつ板状物で、かつその幅方向の表・裏面は両端辺から凹凸形状を形成してなり、該幅方向の中央部を長手方向に所定の間隔に穿孔されたボルト孔にボルトを挿通して締結し、地山からの漏水を導水し、コンクリート構造物端部の該コンクリートの剥落防止をする前記被覆部材としての透明な耐候性を備えると共に不飽和ポリエステルでなりかつ自己消火性を備えた樹脂を使用した板材で構成されたＦＲＰ板（繊維補強プラスチック材）を押圧して固定することを特徴とする目地部材用止め金具。
【発明の詳細な説明】
【技術分野】
【０００１】
本発明は、トンネル、ボックスカルバート構造物等コンクリート構造物間の目地部又は接合部を被覆するゴムシート等の被覆部材をアンカー支圧力を分散させて線状方向に均等に前記コンクリート構造物に密着させるようにする目地部材用止め金具に関する。
【背景技術】
【０００２】
この種の従来技術としてのコンクリート躯体に於ける目地部分の漏止水処理工法の第１例は、図６（ａ）、（ｂ）に示すような特開平１１−２２３９４号公開特許公報に開示した技術がある。これについて説明すれば、図６（ａ）は高速道路の山岳部のトンネルに於ける処理施工態様を示すものであり、コンクリート躯体１の所定部位にまず、４５°角に所定深さのダイヤモンドカットの斜面カットを電動ハンマーやエアハンマーにより行う。この場合、新規施工にあってはセントル等の型枠のジョイント部に予め目地を作成し、又は、面木を当ておく。そして、当該斜面カット部２に対し予め設計に従う所定深さ幅の導水溝３をコンクリート躯体１に対し内部斫りで形成する。また、ダイヤモンドカットの斜面カット部２にプライマー及びパテ材等の樹脂ライニング４を塗布し、該両斜面カット部２に端部を当てＷ型の波型に予め形成したゴム板の漏止水用樋板５を当接させて導水溝３をアンダーハング状に遮蔽してカバーする。次いで、該漏止水用樋板５の斜面カット部２にカバー状にアングル６をセットし、所定の接着剤により接着する。そして、アングル６、６の双方の相対向する端部、すなわち、アングル押え７の端部についても同様であるが、コンクリート躯体１の経時的伸縮及び漏止水用樋板５の経時的伸縮による相互の干渉による挙動を拘束しないように相互に遊び幅の間隙部８を設けるか、又は、オーバーラップさせて相互摺動が可能であるようにセットする。そして、最後にアンカー９、９をボルト締めにより締結する。この際、当該漏止水用樋板５の斜面カット部２はコンクリート躯体１に対する伝導ハンマーやエアハンマーによるダイヤモンドカットであるためにプライマー及びパテ材を介しての接着セットは充分に相互に馴染み性をもって密着タイプに接着され、確実な漏止水機能をもたせる。
尚、図６（ｂ）に示す実施例は漏止水用樋板５のセットに先立ち導水溝３にポリウレタン等の発泡性弾性材１０を密に充填して止水性を高めておくこともできる。又、該漏止水用樋板５の先端部は内空面Ａから外部へ突出しないように予めサイズを設計する。
【０００３】
次に、従来技術としてのトンネルの漏水案内装置の第２例は、図７に示すような特開平２−１３２３００号公開特許公報に開示した技術がある。これについて説明すれば、導水樋は、次のような構造である。図７に示すように、軟質ビニール材で被覆された硬質塩化ビニール製のドレンコーナ１１が、独立発泡体すなわち、不連続気泡を有する発泡体から成るドレンシーラ１２を介してアンカボルト１３とナツト１４でコンクリート壁１５に固定されている。これらドレンコーナ１１は、コンクリート内壁面に沿つて縦方向に延設された左右一対から成り、その先端部に対向設置された溝部１６に、特殊アクリル変性樹脂と塩化ビニルとをブレンド成形した導水プレート１７が水密状態に挿入・把持される。ドレンシーラ１２は、弾力性があり、水を吸収しないため、コンクリート壁１５の凹凸面によく対応して密着し、水を遮断する。これらドレンコーナ１１、導水プレート１７は、トンネル内壁面との間に水路１３を形成する。導水樋は、必要に応じて、各種規格の導水プレート１７を使用することにより、幅方向が可変とされるとともに、長さ方向へは、複数のドレンコーナ１１および導水プレート１７を接続して調整される。この接続に当り、ドレンコーナ１１は、長さ方向に突き合せ状態に配置されて、アンカボルト１３、ナツト１４によって固定される。導水プレート１７は、下流側の導水プレート１７の上部をドレンコーナ１１の頂面より上方に突出させ、この突出部分の左右両端部を斜めに切断し、突出部分を外側にして上流側導水プレート１７の下部と重ね合せ、この重ね合わされた隙間にシリコン系コーキング材を充填して接着される。導水樋は、耐寒用として、第７図に示すように、保温材１８を導水プレート１７の内側面に装着したものも用いられる。この保温材１８は、たとえば、独立発泡体から成る断熱材に、ビニールシートを貼り合わせたものである。
【０００４】
また、他の従来技術としての導水樋の第３例は、図８に示すような特開平９−２５６８００号公開特許公報に開示した技術がある。これについて説明すれば、導水樋は、トンネルなどのコンクリート構造体表面との間に導水用空間を形成する樋本体１９、この樋本体１９を構造体に固定するアンカー２０を備えた固定具２１及びアンカー２０を外部から覆う水滴落下防止用のアンカーカバー１２によって構成される。樋本体１９は硬質樹脂製でクラック部分を覆う巾を有する平坦部１９ａと、平坦部１９ａの両側を折り曲げて形成した屈曲部１９ｂとからなる。屈曲部１９ｂは固定具２１に着脱自在に装着するためのもので、平坦部１９ａからほぼ直角方向に折り曲げられている。２２は屈曲部１９ａの外側に接着剤で取り付けられた断面円形の押えゴムで、その表面には、後述するベースプレート２３の係合片に充分抵抗させ脱落しないようにする目的で長手方向に溝が形成されている。固定具２１は、アンカー２０及び硬質プラスチック製のベースプレート２３からなり、ベースプレート２３の両端には端片２３ａが形成され、その内側には、端片２３ａと同じ方向に、先端に鈎型の係合片を有する係合突起２３ｂが形成されている。アンカー２０は、後端外周に雌ねじを形成し先端が構造物内で開いて構造物に固定されるアンカーボルト２０ａ、このアンカーボルト２０ａに螺合されるナット２０ｂ及びナット２０ｂとベースプレート２３との間に、ベースプレート２３を均等に固定する目的で設けられるサドル２０ｃによって構成される。２４はベースプレート２３の両端壁面側に設けられた発泡樹脂製の凸型シール材で、このシール材２４が圧縮された状態で構造物壁面に密着することにより、この部分からの漏水を防止する。特に、シール材２４の表面を凸型とすることによって、コンクリート壁面２５とシール材２４が完全密着状態となる。アンカーカバー１２は、断面形状が船底形をしたアンカーカバー本体に、ベースプレート２３の係合片と係合する係合爪を有する係合突起１２ａを形成している。このアンカーカバー１２を、ベースプレート２３の下方から押し込むことによって、ベースプレート２３の係合片とアンカーカバー１２の係合爪とが機械的に嵌合し、アンカーカバー１２を固定具２１に装着する。このアンカーカバー１２は、例えば石などの飛来、接触や火災などに対して耐衝撃性や難燃性を考慮した硬質樹脂製とし、かつアンカーカバー１２の表面に衝撃吸収用の軟質樹脂層を形成することもある。従来の導水樋の構造は、上述の如くであった。
【特許文献１】特開平１１−２２３９４号公開特許公報
【特許文献２】特開平２−１３２３００号公開特許公報
【特許文献３】特開平９−２５６８００号公開特許公報
【発明の開示】
【発明が解決しようとする課題】
【０００５】
従来の技術は、叙上した構成、作用であるので次の課題が存在した。
すなわち、トンネルや接合工に於いて、従来使用されている金具はかなり複雑に加工されたものであり、その構成に開示されている樋の設置方法は板状部材を介してコンクリートアンカーで点状に締結し、均等に押圧される構造である。又躯体とは接着剤を用いている場合が多い。そして、樋或いは固定部は伸縮機能を付帯しなければならないので比較的柔らかい部材であり、これに板状部材を重ねボルトで締結する構造であるので、比較的薄い板状部材であると押圧力が均等に作用できないという問題点があった。また経年による樋部材の弾性力の減少により本来の機能である漏水防止機能が作用しなくなるものであった。従来の面状バネはボルト周りに位置し、点状での押圧であるので同様の問題点が存在した。
【０００６】
さらに、従来の技術では、図９で示すように漏止水用樋板５（フラットバー）をコンクリートアンカーで留めるのが一般的であるが、この場合はアンカー部に集中的に支圧力Ｓが導入されるため、アンカーとアンカーの間は支圧力がほとんどなくコンクリート構造物１に密着できない状態になる。止水を目的とした導水樋５などでは、上記の状態では要求性能を満たさないため、別途接着剤等を用いることが必要であるという課題があった。
【０００７】
また、例えば、鉄道橋梁接合工法に於いては、新設時の施工時間に余裕ある状況の中での施工であり、接合部の目地充填材の劣化によるひび割れ、形成ゴムの剥がれ等による漏水部の補修を施工するについて、鉄道運行過密ダイヤ間で従来技術での補修は困難であり、工法の簡略化による施工時間の短縮化が要求されるという課題があった。
【０００８】
また、高架橋におけるつららの発生箇所は接合目地部に発生しているのが大部分あり、このつららが発生している部分は、内部（路盤側）に何ら対策を講じていない接合目地部に多く観察され、雨水および融雪水が間詰め材（エラスタイトおよびゴム系）と遊間の隙間を浸透してくることによる。また、雨水や融雪水は冬季にコンクリート面に浸透したり滞留すると凍結融解を繰り返すこととなり、コンクリートの劣化を促進させる原因になるという問題点があった。
本発明が解決しようとする課題は、背景技術で述べた問題点を解決することにある。
【課題を解決するための手段】
【０００９】
本発明に係る目地部材用止め金具は、フラットな板状部材を必要とせず樋等の被覆部材を固定できる金具であって、分布しかつ均等の押圧力を保持可能とする簡単な構造で構成できることを特徴とし、さらに、接合部上面に被覆部材としての防水シートをコンクリートアンカーで締め付けることによりバネ構造でなる金具のバネ効果を発揮することで、集中荷重を分布荷重として持続的な圧着効果を出し、従来技術と比較し大幅に工程の簡略化を図るべくした目地部材用止め金具を提供することを目的としたものであり、次の構成、手段から成立する。
【００１０】
すなわち、請求項１記載の発明によれば、トンネル又はボックスカルバート構造物の目地部又は接合部を覆う被覆部材を該構造物の略両端部付近で固定するための金具であって、目地部又は接合部の長手方向に所定の長さをもつ板状物で、かつその幅方向の表・裏面は両端辺から凹凸形状を形成してなり、該幅方向の中央部を長手方向に所定の間隔に穿孔されたボルト孔にボルトを挿通して締結し、地山からの漏水を導水しコンクリート構造物端部の該コンクリートの剥落防止をする前記被覆部材としての透明な耐候性を備えると共に不飽和ポリエステルでなりかつ自己消火性を備えた樹脂を使用した板材で構成されたＦＲＰ板（繊維補強プラスチック材）を押圧して固定することを特徴とする。
【発明の効果】
【００１１】
本発明に係る目地部材用止め金具は、叙上の構成を有するので次の効果がある。
【００１２】
すなわち、請求項１記載の発明によれば、ボックスカルバートの横断目地や道路トンネルの横断目地等を跨いで、ＦＲＰ板や防水シートを防水線状に取り付ける工法であり、目的として止水性が要求される場合には、ＦＲＰ板やシートをコンクリート躯体・構造物に対して隙間無く密着させ、本発明は、例えば２０〜７０ｃｍ程度のピッチにコンクリートアンカー等ボルトでＦＲＰ板や防水シートを取り付けるだけで、接着剤等を使う必要もなくコンクリート壁に固定させることができるという効果がある。また透明性の高いＦＲＰ板を使用しているため、樋内部の変状例えば剥落や土砂の詰まりが監視しやすく適切なメンテナンスが可能となり、該ＦＲＰ板が自己消火性を有するのでトンネル内での火災時の安全性を確保できるという効果がある。
【発明を実施するための最良の形態】
【００１３】
以下、本発明に係る目地部材用止め金具の実施の形態について添付図面に基づき詳細に説明する。
【００１４】
図１は、本発明に係る目地部材用止め金具を使用してコンクリート構造物に覆う被覆部材を押圧して固定した状態を示す断面図である。
図２は、被覆部材上に所定間隔を有して例えば、コンクリートアンカーで本発明に係る目地部材用止め金具の全体をコンクリート構造物に固定した状態を示す模式図であって、該目地部材用止め金具が該被覆部材に分布荷重として圧着する状態を示した図である。
【００１５】
２６はトンネル、ボックスカルバート、橋梁、鉄道構造物等各種のコンクリート構造物である。２７は、該コンクリート構造物の目地部（図示せず）又は接合部（図示せず）を覆う被覆部材である。この被覆部材は、前記コンクリート構造物２６の押え対象物として機能し、具体的には厚さ３（ｍｍ）程度の防水シートや例えば、透明な耐候性を備えたＦＲＰ板（繊維補強プラスチック材）等でなる。
【００１６】
２８は本発明に係る目地部材用止め金具であって、コンクリート構造物２６の目地部又は接合部を覆う前記被覆部材２７を該コンクリート構造物２６の略両端部付近で固定するための金具である。該目地部材用止め金具２８は、目地部又は接合部の長手方向に所定の長さを持つ板状物で構成され、その幅方向の表・裏面形状、つまり側面形状は両端辺から凹凸形状を形成している。そして、目地部材用止め金具２８は１枚の鋼板、例えば、ステンレス鋼板又はバネ鋼を図１に示すように略Ｍ形に折曲した簡単な構成とし、曲げ剛性を高めるように形成している。
【００１７】
また、前記目地部材用止め金具２８は、図１に示すように、両端辺２８ａ、２８ａから幅方向中央に向って凹凸形状、具体的には全体として例えば略Ｍ字形状を形成し、その第１頂点部２８ｂと中央点である第２頂点部２８ｃを形成している。この第１及び第２頂点部２８ｃは前記被覆部材２７の表面には接触せず、浮いた状態に位置し、該第２頂点部２８ｃは、被覆部材２７の表面から間隔ｔを確保し、例えば、図２に示すようにアンカーボルト等ボルト２９が目地部材用止め金具２８の所定長さ毎、つまり３個を該目地部材用止め金具２８に締結した際、該目地部材用止め金具２８のバネ作用が働き、該目地部材用止め金具２８が図示するように前記被覆部材２７に対し継続的にアンカー支圧力又は押圧力が長さ方向に均等に作用し、分布荷重Ｑとして圧着効果の向上を図る。
【００１８】
前記被覆部材２７は例えば、エチレン・プロピレンゴム（ＥＰＭ、ＥＰＤＭ）、高純度クロロプレンゴム、天然ゴム、再生ゴム、高減衰ゴムの一つ又は二つ以上の組成物で構成する。また、被覆部材２７は、地山からの漏水を導水すると共にコンクリート構造物端部の該コンクリートの剥落防止をする機能を有する。また、前記被覆部材２７を押圧して固定し、雨水及び融雪水を止水する機能を有する。
【００１９】
尚、前記被覆部材２７の中央点である第２頂点部２８ｃに於ける該被覆部材２７の長手方向には所定間隔を有して前記アンカーボルト等のボルト２９が挿通するボルト孔２８ｄを穿孔している。
ここで、被覆部材２７をコンクリート構造物２６に覆う施工工事としては剥落防止用工事、導水対策工事及びメンテナンス工事がある。該剥落防止用工事は、目地部周辺からのコンクリート辺落下の実績調査によれば、落下したコンクリート塊の重さは例えば目地部の周方向１ｍ当たり、０．５ｋＮ（５０ｋｇｆ）程度である。安全率を考慮し、載荷試験によって例えば、２ｋＮ／ｍの荷重保持能力を有することが望まれており実験にて剥落防止機能が確認されている。
【００２０】
該導水対策工事は、在来工法のトンネルでは、横断目地部は剥落対策と同時に漏水対策が望まれる箇所である。そこで、ＦＲＰ板の両サイドに発泡ポリエチレンフォームでなる止水材を設置し導水樋としての機能を持たせている。実験にて止水性試験を実施おり、ＦＲＰ板の継ぎ手部は突き合わせとして粘着性シートを貼り付け止水性能は良好である。
【００２１】
該メンテナンス工事は、剥落防止板は透明性の高いＦＲＰ板を使用しているため、樋内部の変状例えば剥落や土砂の詰まりが監視しやすく適切なメンテナンスが可能となる。また、トンネル内での火災時の安全性を考慮し、ＦＲＰ板の材料として自己消火性の樹脂を使用している。
【００２２】
次に、本発明に係る目地部材用止め金具の実施の形態に於ける組付手順や作用等について説明する。
【００２３】
先づ、トンネルやボックスカルバート構造物等のコンクリート構造物２６の目地部又は接合部に例えば、ＦＲＰ板（繊維補強プラスチック材）等でなる被覆部材２７を覆う。そして、表・裏面が凹凸形状、例えば断面形状が略Ｍ字形状を有する目地部材用止め金具２８を前記被覆部材２７に当接する。具体的には、該目地部材用止め金具２８の両端辺２８ａ、２８ａを該被覆部材２７の表面に設定・配置する。この際、該目地部材用止め金具２８の両端辺２８ａ、２８ａから中央部分に位置する前記第１及び第２頂点部２８ｂ、２８ｃは前記被覆部材２７の表面から浮かせた状態で配置する。
【００２４】
そして、アンカーボルト等ボルト２９のボルト軸２９ａを前記目地部材用止め金具２８のボルト孔２８ｄに挿通し、該ボルト軸２９ａの先端部分２９ｂは図１に示すようにコンクリート構造物２６に打込まれる。このとき、アンカーボルト等該ボルト２９の頭部２９ｃが前記目地部材用止め金具２８のボルト孔２８ｄの周縁部２８ｅを押圧する。而して、図３に示す目地部材用止め金具２８の作用分布荷重Ｑの模式図から明らかなように、ボルト２９の支圧力Ｐが目地部材用止め金具２８に印加し、該目地部材用止め金具２８により前記被覆部材２７を均等に支圧力又は押圧力が加わり、コンクリート構造物２６への固着効果を向上させたことが判明した。
【００２５】
このように、ステンレス鋼板でなる目地部材用止め金具２８を略Ｍ型にベンダー折り又はフォーミングプレスで折り曲げて曲げ剛性を高めるとともに、アンカーボルト等ボルト２９の設置位置で被覆部材２７としてのゴムシートと目地部材用止め金具２８の間にクリアランスを確保していることにより、アンカーボルト等ボルト２９を締め付ける際にクリアランスがバネ効果を発揮することで、集中荷重であるアンカー支圧力を分散させて、持続的に被覆部材２７を線状方向に均等にコンクリート構造物２６、例えばコンクリート床版に密着させることが可能となる。
【実施例１】
【００２６】
次に、本発明に係る目地部材用止め金具を使用し、コンクリート構造物の接合工として施工した実施例１について図４に基づき説明する。
【００２７】
コンクリート構造物２６、２６の相互間には目地部３０が介在し、この目地部３０内に例えば円筒状に形成されたゴム部材３１を嵌入する。該ゴム部材３１は目地部３０内で圧縮されかつ変形されて漏水防止機能を備える。この目地部３０の上方からシール剤３２を封入した後、前記コンクリート構造物２６、２６表面上であって、該目地部３０を跨ぐようにして約３（ｍｍ）程度の厚さを有する防水シート等の被覆部材２７を覆う。
【００２８】
前述した目地部材用止め金具２８を寸法約５０（ｍｍ）の幅を有し、例えば、汎用設計手順によれば、目地部３０を介在させて約２００（ｍｍ）程度の間隔で前記被覆部材２７の所定位置に配置する。そして、アンカーボルト等ボルト２９のボルト軸２９ａを前記目地部材用止め金具２８のボルト孔２８ｄに挿通し、該ボルト軸２９ａの先端部分２９ｂはコンクリート構造物２６に打込まれる。このとき、アンカーボルト等該ボルト２９の頭部２９ｃが前記目地部材用止め金具２８のボルト孔２８ｄの周縁部を押圧する。
【００２９】
尚、前記被覆部材２７の下面とコンクリート構造物２６の表面の接合度合いを高めるために被覆部材２７とコンクリート構造物２６間に接着剤を塗布してもよい。
【実施例２】
【００３０】
本発明に係る目地部材用止め金具は、図１に示す他にその実施例２として図５（ａ）ないし（ｅ）に示す各種の形状を有するものを適用する。
【００３１】
（ａ）に示す目地部材用止め金具２８Ａは、概ね図１に示す形状と略同一である。その相違点は両端辺が平坦面２８Ａ１、２８Ａ１を形成している。図中、２８Ａ２は中央点に形成したボルト孔である。
【００３２】
（ｂ）に示す目地部材用止め金具２８Ｂは中央部分が円弧状部２８Ｂ１を形成したことを特徴としている。
図中、２８Ｂ２は中央点に形成したボルト孔である。
【００３３】
（ｃ）に示す目地部材用止め金具２８Ｃは略全体が緩やかな円弧状部２８Ｃ１を形成したことを特徴としている。
図中、２８Ｃ２は中央点に形成したボルト孔である。
【００３４】
（ｄ）に示す目地部材用止め金具２８Ｄは中央部分が平面状部２８Ｄ１を形成したことを特徴としている。
図中、２８Ｄ２は中央点に形成したボルト孔である。
【００３５】
（ｅ）に示す目地部材用止め金具２８Ｅは左・右にそれぞれ円弧状部２８Ｅ１、２８Ｅ１及びそれに介在した連なる平面部２８Ｅ２を形成したことを特徴としている。
図中、２８Ｅ３は中央点に形成したボルト孔である。
上述した各種の形状でなる目地部材用止め金具２８を漏水防止等施工現場の設計仕様に応じて適宜選択して使用することにより被覆部材２７に於ける所期の圧着効果を挙げることができる。
【図面の簡単な説明】
【００３６】
【図１】本発明に係る目地部材用止め金具を被覆部材に固定した状態を示すものであって、本発明の実施の形態を示す垂直断面図である。
【図２】本発明に係る目地部材用止め金具を被覆部材に固定した状態を示すものであって、本発明の実施の形態を示す模式図である。
【図３】本発明に係る目地部材用止め金具を被覆部材に固定した状態を示すものであって、本発明の実施の形態を示すものであり、アンカーボルトの支圧力の分布荷重を示す模式図である。
【図４】本発明に係る目地部材用止め金具をコンクリート構造物の接合工に使用した実施例１を示す垂直断面図である。
【図５】本発明に係る目地部材用止め金具の各種実施の変形例を示す側面図であって、（ａ）は概ね図１に示す形状と略同一の図面である。（ｂ）は中央部分が円弧状部を形成した図面である。（ｃ）は略全体が緩やかな円弧状部を形成した図面である。（ｄ）は中央部分が平面状部を形成した図面である。（ｅ）は左・右にそれぞれ円弧状部及びそれに介在して連なる平面部を形成した図面である。
【図６】従来の技術の第１例であって、コンクリート躯体の目地部分の漏止水処理工法を示す図面であり、（ａ）は垂直断面図、（ｂ）はポリウレタン等の発泡性弾性剤を充填した状態を示す垂直断面図である。
【図７】従来の技術の第２例であって、トンネルの漏水案内装置の一例を示す垂直断面図である。
【図８】従来の技術の第３例であって、導水樋の一例を示す垂直断面図である。
【図９】従来技術に於けるコンクリート構造物に被覆されたクラットバーにアンカーボルトによる支圧力Ｓが印加される状態を示す垂直断面図である。
【符号の説明】
【００３７】
２６      コンクリート構造物
２７      被覆部材
２８      目地部材用止め金具
２８Ａ〜２８Ｅ  目地部材用止め金具
２８Ａ１  目地部材用止め金具の平坦面
２８Ａ２  目地部材用止め金具の中央点
２８Ｂ１  目地部材用止め金具の円弧状部
２８Ｂ２  目地部材用止め金具のボルト孔
２８Ｃ１  目地部材用止め金具の円弧状部
２８Ｃ２  目地部材用止め金具のボルト孔
２８Ｄ１  目地部材用止め金具の平面状部
２８Ｄ２  目地部材用止め金具のボルト孔
２８Ｅ１  目地部材用止め金具の円弧状部
２８Ｅ２  目地部材用止め金具の平面部
２８Ｅ３  目地部材用止め金具のボルト孔
２８ａ、２８ａ  目地部材用止め金具の両端辺
２８ｂ    目地部材用止め金具の第１頂点部
２８ｃ    目地部材用止め金具の第２頂点部
２８ｄ    目地部材用止め金具のボルト孔
２８ｅ    目地部材用止め金具のボルト孔の周縁部
２９      ボルト
２９ａ    ボルトのボルト軸
２９ｂ    ボルトのボルト軸の先端部分
２９ｃ    ボルトの頭部
３０      目地部
３１      ゴム部材
３２      シール剤
【図１】
0004582585.tif 000002
【図２】
0004582585.tif 000003
【図３】
0004582585.tif 000004
【図４】
0004582585.tif 000005
【図５】
0004582585.tif 000006
【図６】
0004582585.tif 000007
【図７】
0004582585.tif 000008
【図８】
0004582585.tif 000009
【図９】
0004582585.tif 000010